(57)【要約】  本発明は、加湿停止時間の短縮を実現できる熱交換換気装置を得ることを目的とする。  熱交換換気装置（５０）は、室外から室内へ向かう給気流が通る給気風路（３０）と、室外へ向かう排気流が通る排気風路（３１）とを備えた本体ケーシング（１）と、給気流と排気流との間で熱交換を行う全熱交換器（４）と、空気を加湿させる加湿器（１５）を備え、給気風路（３０）の全熱交換器（４）よりも下流側に配設される加湿装置（１６）と、給気風路（３０）における全熱交換器（４）と加湿器（１５）との間の空気の温度である加湿器前温度が第１の温度閾値以下になると加湿装置（１６）を停止させ、加湿器前温度が第１の温度閾値よりも高い第２の温度閾値を超えると加湿装置（１６）の運転を再開させる制御部（１１）とを有する。
2020065929.tif 000002
【特許請求の範囲】
【請求項１】
室外から室内へ向かう給気流が通る給気風路と、室内から室外へ向かう排気流が通る排気風路とを備えたケーシングと、  前記給気流と前記排気流との間で熱交換を行う全熱交換器と、  空気を加湿させる加湿器を備え、前記給気風路の前記全熱交換器よりも下流側に配設される加湿装置と、  前記給気風路における前記全熱交換器と加湿器との間の空気の温度である加湿器前温度が第１の温度閾値以下になると前記加湿装置を停止させ、加湿器前温度が前記第１の温度閾値よりも高い第２の温度閾値を超えると前記加湿装置の運転を再開させる制御部とを有することを特徴とする熱交換換気装置。
【請求項２】
前記排気風路における前記全熱交換器の上流側の空気である室内空気の温度を検出する室内温度センサと、  前記給気風路における前記全熱交換器よりも上流側の空気である外気空気の状態を検出する外気温度センサとを有し、  前記制御部は、前記室内空気の温度と前記外気空気の温度とに基づいて前記加湿器前温度を算出することを特徴とする請求項１に記載の熱交換換気装置。
【請求項３】
前記給気風路における前記加湿器よりも上流側に前記加湿器前温度を測定する加湿器前温度センサを有することを特徴とする請求項１に記載の熱交換換気装置。
【請求項４】
前記制御部は、前記加湿装置の運転開始から第１の時間が経過するまでは前記加湿装置を停止させないことを特徴とする請求項１から３のいずれか１項に記載の熱交換換気装置。
【請求項５】
前記制御部は、前記加湿装置の停止から第２の時間が経過するまでは前記加湿装置の運転を再開させないことを特徴とする請求項１から４のいずれか１項に記載の熱交換換気装置。
【請求項６】
前記制御部は、前記加湿器前温度が第３の温度閾値を下回ると、給気流の風量を低減させることを特徴とする請求項１から５のいずれか１項に記載の熱交換換気装置。
【請求項７】
前記制御部は、同一換気空間に設置された空気調和装置を暖房モードに切り替え、前記第１の温度閾値よりも高い温度を目標温度とする暖房運転を行わせることを特徴とする請求項１から６のいずれか１項に記載の熱交換換気装置。
【請求項８】
前記制御部は、前記空気調和装置を停止させると、前記熱交換換気装置も停止させることを特徴とする請求項７に記載の熱交換換気装置。
【発明の詳細な説明】
【技術分野】
【０００１】  本発明は、給気流と排気流との間で熱交換を行いながら換気を行う熱交換換気装置に関する。
【背景技術】
【０００２】  給気流と排気流との間で熱交換を行いながら換気を行う熱交換換気装置は、気化熱により加湿器の加湿エレメントが凍結してしまう事象を防止することが求められている。【０００３】  特許文献１には、室内の温度又は加湿用の水の温度を検知する温度センサが第１の温度以下を検知した場合には、第１の温度よりも高い第２の温度以上を検知するまで、加湿器に給水する給水ポンプの運転を停止する熱交換換気装置が開示されている。
【先行技術文献】
【特許文献】
【０００４】
【特許文献１】特開２００３−４２５６４号公報
【発明の概要】
【発明が解決しようとする課題】
【０００５】  しかしながら、特許文献１に開示される発明は、加湿器から離れた室内の温度又は加湿用の水の温度に基づいて加湿器への給水を停止するため、実際に加湿エレメントが凍結し始める温度よりも高めに第１の温度を設定しないと、加湿エレメントの凍結を防止できない可能性がある。したがって、加湿停止時間が長くなってしまう。【０００６】  本発明は、上記に鑑みてなされたものであって、加湿停止時間の短縮を実現できる熱交換換気装置を得ることを目的とする。
【課題を解決するための手段】
【０００７】  上述した課題を解決し、目的を達成するために、本発明は、室外から室内へ向かう給気流が通る給気風路と、室内から室外へ向かう排気流が通る排気風路とを備えたケーシングと、給気流と排気流との間で熱交換を行う全熱交換器とを有する。本発明は、空気を加湿させる加湿器を備え、給気風路の全熱交換器よりも下流側に配設される加湿装置と、給気風路における全熱交換器と加湿器との間の空気の温度である加湿器前温度が第１の温度閾値以下になると加湿装置を停止させ、加湿器前温度が第１の温度閾値よりも高い第２の温度閾値を超えると加湿装置の運転を再開させる制御部とを有する。
【発明の効果】
【０００８】  本発明に係る熱交換換気装置は、加湿停止時間の短縮を実現できるという効果を奏する。
【図面の簡単な説明】
【０００９】
【図１】本発明の実施の形態１に係る熱交換換気装置の構成を示す図
【図２】実施の形態１に係る熱交換換気装置の構成を示す図
【図３】実施の形態１に係る熱交換換気装置の動作の流れを示すフローチャート
【図４】本発明の実施の形態２に係る熱交換換気装置の動作の流れを示すフローチャート
【図５】本発明の実施の形態３に係る熱交換換気装置を用いた換気システムの構成を示す図
【図６】実施の形態３に係る熱交換換気装置の動作の流れを示すフローチャート
【図７】実施の形態１、実施の形態２又は実施の形態３に係る熱交換換気装置の制御部の機能をハードウェアで実現した構成を示す図
【図８】実施の形態１、実施の形態２又は実施の形態３に係る熱交換換気装置の制御部の機能をソフトウェアで実現した構成を示す図
【発明を実施するための形態】
【００１０】  以下に、本発明の実施の形態に係る熱交換換気装置を図面に基づいて詳細に説明する。なお、この実施の形態によりこの発明が限定されるものではない。
【００１１】実施の形態１．  図１及び図２は、本発明の実施の形態１に係る熱交換換気装置の構成を示す図である。図１は、排気空気ＥＡが全熱交換器４を通過する状態を示している。図２は、排気空気ＥＡがバイパス風路３３を通り、全熱交換器４を経ずに排気用送風機２へ直接送られる状態を示している。実施の形態１に係る熱交換換気装置５０は、外郭をなす本体ケーシング１と、排気流を形成する排気用送風機２と、給気流を形成する給気用送風機３と、排気流と給気流との間で熱交換を行う熱交換器である全熱交換器４とを有する。また、熱交換換気装置５０は、排気空気ＥＡが流出する排気吹出口５と、給気空気ＳＡが流出する給気吹出口６と、外気空気ＯＡが流入する給気吸込口７と、室内空気ＲＡが流入する排気吸込口８と、外気空気ＯＡの温度を測定する外気温度センサ９と、室内空気ＲＡの温度を測定する室内温度センサ１０と、熱交換換気装置５０の動作を制御する制御部１１と、ユーザインタフェースであるリモートコントローラ１２とを有する。熱交換換気装置５０は、排気空気ＥＡを、全熱交換器４を通過させる風路を通すか、全熱交換器４を経ずに排気用送風機２へ空気を送るバイパス風路３３を通すかを切り替える風路切替ダンパ１３と、電磁弁１４と、加湿器１５とを有する。排気流は、排気吸込口８から流入した室内空気ＲＡが全熱交換器４を通過することによって排気空気ＥＡとなり、排気吹出口５から流出することによって形成される。給気流は、給気吸込口７から流入した外気空気ＯＡが全熱交換器４を通過することによって給気空気ＳＡとなり、給気吹出口６から流出することによって形成される。
【００１２】  熱交換換気装置５０は、室内側に給気吹出口６及び排気吸込口８を備え、室外側に排気吹出口５及び給気吸込口７を備えている。熱交換換気装置５０は、室外側の給気吸込口７と室内側の給気吹出口６とを連通させる給気風路３０と、室内側の排気吸込口８と室外側の排気吹出口５とを連通させる排気風路３１とを備えている。すなわち、本体ケーシング１は、給気用送風機３によって形成される室外から室内へ向かう給気流が通る給気風路３０と、排気用送風機２によって形成される室内から室外へ向かう排気流が通る排気風路３１とを備えている。
【００１３】  給気用送風機３は、給気風路３０に組み込まれている。排気用送風機２は、排気風路３１に組み込まれている。全熱交換器４は、給気風路３０と排気風路３１との間に設置されて、外気空気ＯＡと室内空気ＲＡとの間で連続的に全熱交換を行う。
【００１４】  全熱交換器４においては、排気流を通す一次側風路と給気流を通す二次側風路とは、透湿性を有する仕切り材を挟んで隣接している。したがって、全熱交換器４は、給気流と排気流との間で潜熱を交換して、全熱交換換気を行える。
【００１５】  風路切替ダンパ１３は、排気風路３１の全熱交換器４よりも上流側に設置されている。風路切替ダンパ１３が閉じているとき、排気流となった室内空気ＲＡは全熱交換器４を通り、給気流となった外気空気ＯＡと連続的に全熱交換を行うが、風路切替ダンパ１３が開いているとき、排気流となった室内空気ＲＡは全熱交換器４の脇に設置されたバイパス風路３３を通り、給気流となった外気空気ＯＡと熱交換を行うことなく室外へ排出される。
【００１６】  外気温度センサ９は、給気風路３０のうち全熱交換器４よりも上流側の部分、すなわち給気吸込口７と全熱交換器４との間の風路に設置されている。室内温度センサ１０は、排気風路３１のうち全熱交換器４よりも上流側の部分、すなわち排気吸込口８と全熱交換器４との間の風路に設置されている。
【００１７】  外気温度センサ９及び室内温度センサ１０は、制御部１１に接続されている。外気温度センサ９及び室内温度センサ１０は、それぞれ、外気温度THOA及び室内温度THRAについての情報を定期的に制御部１１に送信する。
【００１８】  加湿に用いる給水は電磁弁１４の開閉により制御される。加湿運転時、電磁弁１４は開となり吸水チューブを経て加湿器１５へと注水される。加湿器１５は複数の加湿体から構成された気化式の加湿ユニットであり、水は加湿体に含まれる。給気用送風機３によって連続的に通風されることで、加湿体に含まれる水が気化するとともに、気化した水を含む加湿空気が室内へ移動し、加湿空気が室内へと供給される。
【００１９】  図３は、実施の形態１に係る熱交換換気装置の動作の流れを示すフローチャートである。ステップＳ１において、制御部１１は、熱交換換気装置５０の運転を開始する。具体的には、制御部１１は、給気用送風機３、排気用送風機２及び加湿器１５を運転し、電磁弁１４を開にする。
【００２０】  ステップＳ２において、制御部１１は、熱交換換気装置５０の各部の状態及び設置環境の状態を取得する。具体的には、制御部１１は、外気温度センサ９から出力される外気温度THOAを受信する。また、制御部１１は、室内温度センサ１０から出力される室内温度THRAを受信する。また、制御部１１は、風路切替ダンパ１３の開閉情報、給気用送風機３及び排気用送風機２の風量情報、電磁弁１４の開閉情報及び送風機各風量時の温度交換効率情報を格納する。
【００２１】  ステップＳ３において、制御部１１は、外気温度THOAと、室内温度THRA、風路切替ダンパ１３の開閉情報と、給気用送風機３及び排気用送風機２の風量情報と、電磁弁１４の開閉情報と、給気用送風機３及び排気用送風機２の各風量時の温度交換効率情報とを基に、全熱交換器４を通過した後の給気温度THSAを算出する。熱交換換気装置５０は、全熱交換器４を通過後に給気ＳＡの温度を変化させるヒータ又はクーラーを有する構造ではないため、加湿器１５を通過する前の空気の温度である加湿器前温度THXは、全熱交換器４を通過後の給気温度THSAと同じ温度とみなすことができる。
【００２２】  ステップＳ４において、制御部１１は、加湿器前温度THXと凍結防止制御の開始条件である第１の温度閾値とを比較し、凍結判定を実施する。具体的には、制御部１１は、電磁弁１４を閉にし、加湿器１５への給水を停止する保護運転モード以外での運転時間が第１の時間を超えており、かつ加湿器前温度THXが第１の温度閾値以下であるか否かを判定する。ここでは、加湿器１５を通過する前の空気の相対湿度が最低値である０％の場合を想定し、気化により凍結の可能性がある７℃を第１の温度閾値とする。熱交換換気装置５０の運転開始時又は加湿器１５への給水開始時は、全熱交換器４による温度交換及び加湿体への給水が不均一であり、温度むらが発生する可能性があるため、運転状態が安定させるために運転開始から第１の時間Ｔ１が経過してから凍結判定を行う。第１の時間Ｔ１は、３０分程度とすることで、温度むらを解消できる。
【００２３】  保護運転モード以外での運転時間が第１の時間を超えており、かつ加湿器前温度THXが第１の温度閾値以下であれば、ステップＳ４でＹｅｓとなり、ステップＳ５に進む。ステップＳ５において、制御部１１は、保護運転モードを実施する。加湿器前温度THXが第１の温度閾値以下となった場合、加湿時の気化熱により加湿体の水分が結氷する可能性があるが、加湿器１５への給水を一時的に停止させることで、結氷による加湿体の破損を防止し、氷の成長、溶解による水の機外滴下といった不具合を防止することが可能となる。
【００２４】  一方、保護運転モード以外での運転時間が第１の時間を超えていないこと、及び加湿器前温度THXが第１の温度閾値以下であることの少なくとも一方を満足する場合は、ステップＳ４でＮｏとなり、ステップＳ２に進む。
【００２５】  なお、加湿器前温度THXは、外気温度THOA及び室内温度THRAに依存するため、温度が安定しない可能性がある。電磁弁１４の開閉を短期間に繰り返すチャタリングが発生し、電磁弁１４の寿命が短くなってしまうことを防止するために、保護運転モードでの運転は、外気温度THOA及び室内温度THRAが安定するのに必要な第２の時間Ｔ２よりも長期間実施する。第２の時間Ｔ２は、３０分から６０分程度とすることで、チャタリングの発生を防止できる。
【００２６】  ステップＳ６において、制御部１１は、保護運転モードでの運転時間が第２の時間Ｔ２を超えており、かつ加湿器前温度THXが凍結防止制御の解除条件である第２の温度閾値を超えたか否かを判定する。保護運転モードでの運転時間が第２の時間Ｔ２を超えており、かつ加湿器前温度THXが第１の温度閾値よりも高温の第２の温度閾値を超えた場合、ステップＳ６でＹｅｓとなり、ステップＳ７に進む。ステップＳ７において、制御部１１は、保護運転モードを解除し、電磁弁１４を開とする。制御部１１は、保護運転モードを解除する際に、第１の時間Ｔ１が経過したか否かの判定に用いる時間を計測するタイマをクリアし、再計測する。ステップＳ７の後は、ステップＳ８に進む。一方、保護運転モードでの運転時間が第２の時間Ｔ２を超えていないこと、及び加湿器前温度THXが第２の温度閾値以下であることの少なくとも一方を満足する場合は、ステップＳ６でＮｏとなり、ステップＳ６に進む。したがって、加湿器前温度THXが低い場合には、保護運転モードでの運転が継続される。
【００２７】  ステップＳ８において、制御部１１は、リモートコントローラ１２が運転を停止する操作を受け付けたか否かを判断する。運転を停止する操作をリモートコントローラ１２が受け付けたならば、ステップＳ８でＹｅｓとなり、ステップＳ９に進んで熱交換換気装置５０の運転を停止する。制御部１１は、給気用送風機３、排気用送風機２及び加湿器１５を停止し、電磁弁１４を閉にする。運転を停止する操作をリモートコントローラ１２が受け付けていなければステップＳ８でＮｏとなり、ステップＳ２に進む。
【００２８】  実施の形態１に係る熱交換換気装置５０は、保護運転モードでは第２の時間Ｔ２以上の期間運転するため、電磁弁１４の開閉が頻繁に発生することはない。よって第２の温度閾値は第１の温度閾値との差を大きくする必要がなく、１℃から２℃の温度差を確保すればよい。したがって、第１の閾値温度が７℃であれば、第２の温度閾値は、８℃から９℃程度が妥当である。
【００２９】  なお、上述した例では、加湿器前温度THXは外気温度と室内温度から算出されたが、加湿器１５の上流側に加湿器前温度センサを配置し、この加湿器前温度センサにより検出された温度を加湿器前温度THXとして用いてもよい。また、温度センサを加湿器１５の下流側に配置した場合でも、温度センサを室内に設置する場合よりも全熱交換器４と温度センサとの距離を短縮でき、加湿体の結氷防止をより精度よく制御することが可能となる。また、温度センサに加え湿度センサを使用することで、温度情報及び湿度情報を用いて結氷に至る裕度を確保でき、より低い温度まで加湿運転が可能となり快適性を向上させることができる。
【００３０】  以上のように、実施の形態１に係る熱交換換気装置５０は、加湿器前温度THXと第１の温度閾値とに基づいて電磁弁１４による給水を一時的に停止し、加湿器１５の加湿気化による結氷防止を精度よく実施することができる。したがって、実施の形態１に係る熱交換換気装置５０は、加湿換気運転の快適性向上と結氷による装置不具合の解消とを実現することが可能となる。
【００３１】実施の形態２．  図４は、本発明の実施の形態２に係る熱交換換気装置の動作の流れを示すフローチャートである。実施の形態２に係る熱交換換気装置５０は、給気用送風機３及び排気用送風機２の風量情報を用いた制御を行う。なお、実施の形態２に係る熱交換換気装置５０の構成は、実施の形態１に係る熱交換換気装置５０と同様である。
【００３２】  実施の形態２に係る熱交換換気装置５０は、図３に示した実施の形態１に係る熱交換換気装置５０の動作におけるステップＳ３からステップＳ５の処理と並行して、ステップＳ２２からステップＳ２５の処理を行う。ステップＳ２２において、制御部１１は、保護運転モード以外での運転時間が第１の時間を超えており、かつ加湿器前温度THXが第３の温度閾値以下であるか否かを判断する。保護運転モード以外での運転時間が第１の時間を超えており、かつ加湿器前温度THXが第３の温度閾値以下であれば、ステップＳ２２でＹｅｓとなり、ステップＳ２３において、制御部１１は、給気用送風機３及び排気用送風機２の風量を１段階下げる。これにより、制御部１１は、給気用送風機３及び排気用送風機２の風量を減少させる。すなわち、制御部１１は、加湿器前温度が第３の温度閾値以下になると、給気流の風量を低減させる。換気風量が減少することで、全熱交換器４に流入する気流の風速が低下し、温度交換効率が上昇する。一方、保護運転モード以外での運転時間が第１の時間を超えていないこと、及び加湿器前温度THXが第３の温度閾値を超えていることの少なくとも一方を満足する場合は、ステップＳ２２でＮｏとなり、ステップＳ２２に進む。
【００３３】  なお、第３の温度閾値を第１の温度閾値と同じ温度に設定すれば、保護運転モードでの運転を開始するのと同時に風量低下を実施することと同義である。
【００３４】  全熱交換器４の通過後の空気の温度が上昇することにより加湿器前温度THXも上昇するため、第２の温度閾値の判定条件を容易にクリアすることが可能となる。結果、電磁弁１４の停止時間を短縮することができ、保護運転と快適性のさらなる向上が可能となる。ステップＳ２４において、制御部１１は、保護運転モードでの運転時間が第２の時間Ｔ２を超えており、かつ加湿器前温度THXが風量復帰の条件である第３の温度閾値を超えたか否かを判定する。保護運転モードでの運転時間が第２の時間Ｔ２を超えており、かつ加湿器前温度THXが第３の温度閾値を超えた場合、ステップＳ２４でＹｅｓとなり、ステップＳ２５に進む。ステップＳ２５において、制御部１１は、元の風量に戻して換気量を確保させる。一方、保護運転モードでの運転時間が第２の時間Ｔ２を超えていないこと、及び加湿器前温度THXが第３の温度閾値以下であることの少なくとも一方を満足する場合は、ステップＳ２４でＮｏとなり、ステップＳ２４に進む。
【００３５】  風量低下の度合いは、保護運転モード実施前よりも１段だけ下げることにより換気量低下の影響を抑えられるが、換気領域の在室人数によっては風量を複数段下げても良く、最小風量で運転させてもよい。風量を低下させるほど全熱交換器４を通過後の空気の温度はより上昇するため、早期に凍結防止運転を解除することが可能である。さらに、熱交換換気装置５０が設置された領域に人が不在の場合は、給気用送風機３を停止し排気用送風機２だけを運転させ、給排バランスの差圧吸引だけで加湿体を加温させても良い。
【００３６】  また、第３の温度閾値＞第１の温度閾値の条件となるような第３の温度閾値を制御部１１に与え、加湿器前温度THXが第３の温度閾値に達した状態で加湿器前温度を加温させることで、加湿器前温度THXが第１の温度閾値にまで低下しないように運転が可能となるか、または加湿器前温度THXが第１の温度閾値にまで低下する時間を遅延させることが可能となる。したがって、加湿運転時間が実施の形態１よりも改善可能となる。第３の温度閾値は使用する条件によって任意に変更させても良い。
【００３７】  実施の形態２に係る熱交換換気装置５０は、風量制御により加湿前の空気を加温させ、加湿停止時間を短縮することで、快適性が低下することを抑制することができる。
【００３８】実施の形態３．  図５は、本発明の実施の形態３に係る熱交換換気装置を用いた換気システムの構成を示す図である。熱交換換気装置５０は、空気調和装置１７とともに換気空間２０に設置され、通信線１８を介して接続されている。なお、実施の形態３に係る熱交換換気装置５０の構成は、実施の形態１又は実施の形態２に係る熱交換換気装置５０と同様である。熱交換換気装置５０の制御部１１は、通信線１８を通じて空気調和装置１７の運転状態を把握する。また、換気システムは、集中制御装置２１を設置し、各換気空間２０の運転状況を集中制御装置２１によって一括管理してもよい。
【００３９】  図６は、実施の形態３に係る熱交換換気装置の動作の流れを示すフローチャートである。実施の形態３に係る熱交換換気装置５０は、ステップＳ２の処理を行うのに先だって、ステップＳ３２からステップＳ３８の処理を行う。ステップＳ３２において、制御部１１は、空気調和装置１７が運転中であり、かつ運転モードが暖房モードであるか否かを判断する。空気調和装置１７が運転中であり、かつ運転モードが暖房運転であれば、ステップＳ３２でＹｅｓとなり、ステップＳ３４に進む。空気調和装置１７が運転中ではないこと、及び運転モードが暖房モード以外であることの少なくとも一方を満足する場合には、ステップＳ３２でＮｏとなり、ステップＳ３３において、加湿器前温度THXと第１の温度閾値又は第３の温度閾値とに基づき、制御部１１は、室内温度を加温させるために空気調和装置１７を運転させるとともに、運転モードを暖房運転に切り替える。室内を加温させることで、全熱交換器４の熱交換後温度も間接的に加温することができ、加湿器１５の気化熱による結氷を防止することができる。その際、空気調和装置１７は停止中、送風運転、冷房運転といったどの状態からも暖房モードに切り替える。
【００４０】  ステップＳ３４において、制御部１１は、外気温度センサ９から出力される外気温度THOAを受信する。ステップＳ３５において、制御部１１は、空気調和装置１７が暖房運転時、空気調和装置１７が加温する目標温度THtargetを、外気温度THOAと温度交換効率とに基づいて加湿器前温度THXにあわせて算出する。なお、目標温度THtargetは、第１の閾値温度及び第３の閾値温度のどちらよりも高温である。ステップＳ３６において、制御部１１は、空気調和装置１７に目標温度をTHtargetに設定させて暖房運転を実施させる。すなわち、制御部１１は、ステップＳ３７において、制御部１１は、リモートコントローラ１２が暖房運転を停止する操作を受け付けたか否かを判断する。暖房運転を停止する操作をリモートコントローラ１２が受け付けたならば、ステップＳ３７でＹｅｓとなり、ステップＳ３８において、制御部１１は、空気調和装置１７を停止させるとともに、給気用送風機３及び排気用送風機２を停止させる。さらに制御部１１は、加湿器１５を停止し、電磁弁１４を閉にして加湿装置１６を停止させる。暖房運転を停止する操作をリモートコントローラ１２が受け付けていなければ、ステップＳ３７でＮｏとなり、処理を終了する。
【００４１】  実施の形態３に係る換気システムにおいては、空気調和装置１７は、第１の温度閾値よりも高温の目標温度THtargetを目標に暖房運転を行う。したがって、熱交換換気装置５０は、電磁弁１４が閉となる保護運転モードに変化してしまうことなく換気、加湿運転が可能となる。また、空気調和装置１７は、第３の温度閾値よりも高温の目標暖房運転を停止する操作をリモートコントローラ１２が受け付け目標温度THtargetを目標に暖房運転するため、熱交換換気装置５０は、風量を低下させるモードに変化することもなくなる。したがって、実施の形態３に係る熱交換換気装置５０は、実施の形態１又は実施の形態２に係る熱交換換気装置５０を単独で換気空間２０に設置する場合よりも快適性を向上させることができる。
【００４２】  実施の形態３に係る熱交換換気装置５０は、空気調和装置１７の暖房運転と併用することで加湿停止時間を低減させ、快適性が低下すること抑制できる。
【００４３】  上記の実施の形態１、実施の形態２又は実施の形態３に係る熱交換換気装置５０の制御部１１の機能は、処理回路により実現される。処理回路は、専用のハードウェアであっても、記憶装置に格納されるプログラムを実行する処理装置であってもよい。
【００４４】  処理回路が専用のハードウェアである場合、処理回路は、単一回路、複合回路、プログラム化したプロセッサ、並列プログラム化したプロセッサ、特定用途向け集積回路、フィールドプログラマブルゲートアレイ、又はこれらを組み合わせたものが該当する。図７は、実施の形態１、実施の形態２又は実施の形態３に係る熱交換換気装置の制御部の機能をハードウェアで実現した構成を示す図である。処理回路２９には、制御部１１の機能を実現する論理回路２９ａが組み込まれている。
【００４５】  処理回路２９が処理装置の場合、制御部１１の機能は、ソフトウェア、ファームウェア、又はソフトウェアとファームウェアとの組み合わせにより実現される。
【００４６】  図８は、実施の形態１、実施の形態２又は実施の形態３に係る熱交換換気装置の制御部の機能をソフトウェアで実現した構成を示す図である。処理回路２９は、プログラム２９ｂを実行するプロセッサ２９１と、プロセッサ２９１がワークエリアに用いるランダムアクセスメモリ２９２と、プログラム２９ｂを記憶する記憶装置２９３を有する。記憶装置２９３に記憶されているプログラム２９ｂをプロセッサ２９１がランダムアクセスメモリ２９２上に展開し、実行することにより、制御部１１の機能が実現される。ソフトウェア又はファームウェアはプログラム言語で記述され、記憶装置２９３に格納される。プロセッサ２９１は、中央処理装置を例示できるがこれに限定はされない。記憶装置２９３は、ＲＡＭ（Random  Access  Memory）、ＲＯＭ（Read  Only  Memory）、フラッシュメモリー、ＥＰＲＯＭ（Erasable  Programmable  Read  Only  Memory）、又はＥＥＰＲＯＭ（登録商標）（Electrically  Erasable  Programmable  Read  Only  Memory）といった半導体メモリを適用できる。半導体メモリは、不揮発性メモリでもよいし揮発性メモリでもよい。また記憶装置２９３は、半導体メモリ以外にも、磁気ディスク、フレキシブルディスク、光ディスク、コンパクトディスク、ミニディスク又はＤＶＤ（Digital  Versatile  Disc）を適用できる。なお、プロセッサ２９１は、演算結果といったデータを記憶装置２９３に出力して記憶させてもよいし、ランダムアクセスメモリ２９２を介して不図示の補助記憶装置に当該データを記憶させてもよい。
【００４７】  処理回路２９は、記憶装置２９３に記憶されたプログラム２９ｂを読み出して実行することにより、制御部１１の機能を実現する。プログラム２９ｂは、制御部１１の機能を実現する手順及び方法をコンピュータに実行させるものであるとも言える。
【００４８】  なお、処理回路２９は、一部を専用のハードウェアで実現し、一部をソフトウェア又はファームウェアで実現するようにしてもよい。
【００４９】  このように、処理回路２９は、ハードウェア、ソフトウェア、ファームウェア、又はこれらの組み合わせによって、上述の各機能を実現することができる。
【００５０】  以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５１】  １  本体ケーシング、２  排気用送風機、３  給気用送風機、４  全熱交換器、５  排気吹出口、６  給気吹出口、７  給気吸込口、８  排気吸込口、９  外気温度センサ、１０  室内温度センサ、１１  制御部、１２  リモートコントローラ、１３  風路切替ダンパ、１４  電磁弁、１５  加湿器、１６  加湿装置、１７  空気調和装置、１８  通信線、２０  換気空間、２１  集中制御装置、２９  処理回路、２９ａ  論理回路、２９ｂ  プログラム、３０  給気風路、３１  排気風路、３３  バイパス風路、５０  熱交換換気装置、２９１  プロセッサ、２９２  ランダムアクセスメモリ、２９３  記憶装置。
【図１】
2020065929.tif 000003
【図２】
2020065929.tif 000004
【図３】
2020065929.tif 000005
【図４】
2020065929.tif 000006
【図５】
2020065929.tif 000007
【図６】
2020065929.tif 000008
【図７】
2020065929.tif 000009
【図８】
2020065929.tif 000010
【国際調査報告】
2020065929.tif 000011
2020065929.tif 000012
2020065929.tif 000013
2020065929.tif 000014